(57)【特許請求の範囲】
【請求項１】
警察、消防等の指令電話システムにおける、複数のハンドセットと、前記複数のハンドセットにそれぞれ対応する複数の電話機部と、前記複数の電話機部にそれぞれ対応する複数のファンクションキー部と、前記ハンドセットに対して共通のモニター及びダイヤルキー部とを有する電話卓において、
前記複数のハンドセットにそれぞれ対応し、前記ハンドセットをオフフックすることによりオン動作する複数のフックスイッチと、
前記フックスイッチのオン動作に連動して、前記ハンドセットに対応する前記ファンクションキー部及び電話機部の機能有効範囲を切換制御する制御部とを備え、
前記複数のハンドセットに対して共通のスピーカを設け、前記ファンクションキー部のスピーカキーを押下して前記スピーカを使用している時に、前記ハンドセットをオフフックすることにより前記フックスイッチのオン動作に連動して前記制御部が前記スピーカから前記ハンドセットに切り換えるようにしたことを特徴とする電話卓。
【請求項２】
前記制御部は、少なくともＣＰＵと、前記フックスイッチの監視回路と、前記スピーカキーの監視回路と、前記ファンクションキー部における専用ファンクションキー部の動作部とを備えたことを特徴とする請求項１記載の電話卓。
【請求項３】
前記ダイヤルキー部の発信信号を表示するダイヤルモニターを設けたことを特徴とする請求項２記載の電話卓。
【発明の詳細な説明】
【技術分野】
【０００１】
本発明は、電話システムにおける電話卓、特に、警察、消防等の指令電話システムに主として使用される指令用の電話卓に関するものである。
【背景技術】
【０００２】
従来、この種の指令用電話卓は、左右にデジタル多機能電話機の機能を２台分収容した操作卓として使用されている。
図１６は従来例の電話卓を示すブロック図である。
電話卓１には、左右に２つのハンドセット２Ｌ，２Ｒが取り付けられており、また左右のハンドセット２Ｌ，２Ｒに共通にタッチパネル付モニター３、ダイヤルキー部４、スピーカ、直通電話キー、電源ＬＥＤ等が設けられ、２つのハンドセット２Ｌ，２Ｒにそれぞれ対応する２つのファンクションキー部５Ｌ，５Ｒ、電話機部６Ｌ，６Ｒが備えられている。
【０００３】
ハンドセット２Ｌ，２Ｒはフックスイッチを備えた受け皿には置かずに、電話卓の横に単に掛けて置くようにしてある。
また、左右のヘッドセット７Ｌ，７Ｒも使用可能であり、電話卓１に設けたヘッドセットジャックに差し込めば、ハンドセット２Ｌ，２Ｒからそれぞれヘッドセット７Ｌ，７Ｒに切り換わるように装備されている。
ファンクションキー部５Ｌ，５Ｒのそれぞれには、電話機部６Ｌ，６Ｒを操作するためのファンクションキー、例えば応答キー、復旧キー、スピーカキー等が備えられ、更に左右のファンクションキーを有効にするための専用ファンクションキーである左キー及び右キーが備えられている。
電話機部６Ｌ，６Ｒは通話のための機能を備え、局線、デジタル回線、テレホンスピーカ回線に接続されている。
【０００４】
従来の電話卓１では、フックスイッチを具備していないので、発信、復旧、着信応答等は、すべてファンクションキーの押下操作により行われ、ハンドセット２Ｌ，２Ｒの切り換え、ファンクションキー部５Ｌ，５Ｒ及び電話機部６Ｌ，６Ｒの機能有効範囲の切り換えもファンクションキーの押下操作により行われている。
【０００５】
一方、電話卓ではないが、ディーリングに用いられる電話機において、２つのハンドセットを備え、ハンドセット上に設けたハンドセット切替ボタンを押すことによりハンドセットを切り替え、更に機能ボタンを押して操作するものがある（特許文献１参照）。
また、ディーリング用の電話交換システムに使用される電話端末装置において、２つの通信用ハンドセットを備え、電話端末装置の盤面に設けられたトランクボタン、内線ボタン、オートダイヤルボタン、切断ボタン等を押すことにより、発呼、着呼応答、切断等を行い、左右のハンドセットの選択は、扱者が右利きか左利きかを判別して決定するように予め手順を定めておくものがある（特許文献２参照）。
【特許文献１】特開平０８−１５４１１２号公報
【特許文献２】特許第２９４９０９５号公報
【発明の開示】
【発明が解決しようとする課題】
【０００６】
しかしながら、従来技術は、ハンドセットを取り上げるだけではなく、ファンクションキー（ボタン）の押下やハンドセット切替ボタンの押下により、ハンドセットの切換操作やファンクション操作を行うものであり、ハンドセットをフックスイッチから上げる（オフクック）だけで、ハンドセットの切り換えや機能有効範囲を切り換えることはできなかった。
本発明は、ファンクションキーの押下をすることなく、ハンドセットをオフフックするだけで、ハンドセットを切り換え、ファンクション（発信・通話、着信応答・通話）を可能にすることを課題とする。
【課題を解決するための手段】
【０００７】
本発明は、警察、消防等の指令電話システムにおける、複数のハンドセットと、前記複数のハンドセットにそれぞれ対応する複数の電話機部と、前記複数の電話機部にそれぞれ対応する複数のファンクションキー部と、前記ハンドセットに対して共通のモニター及びダイヤルキー部とを有する電話卓において、前記複数のハンドセットにそれぞれ対応し、前記ハンドセットをオフフックすることによりオン動作する複数のフックスイッチと、前記フックスイッチのオン動作に連動して、前記ハンドセットに対応する前記ファンクションキー部及び電話機部の機能有効範囲を切換制御する制御部とを備え、前記複数のハンドセットに対して共通のスピーカを設け、前記ファンクションキー部のスピーカキーを押下して前記スピーカを使用している時に、前記ハンドセットをオフフックすることにより前記フックスイッチのオン動作に連動して前記制御部が前記スピーカから前記ハンドセットに切り換えるようにしたものである。
【発明の効果】
【０００８】
本発明は、複数のハンドセットの内いずれかのハンドセットをオフフックするだけで、自動的にハンドセットを切り換え、発信・通話、着信応答・通話のファンクションを実現することができる。
また、スピーカの使用時に、ハンドセットをオフフックするだけで、スピーカからオフフックしたハンドセットに自動的に切り換えることができる。
【発明を実施するための最良の形態】
【０００９】
本発明は、左右２つのハンドセットと、このハンドセットにそれぞれ対応する左右２つの電話機部と、この電話機部にそれぞれ対応する左右２つのファンクションキー部と、２つのハンドセットに対して共通のモニター及びダイヤルキー部とを有する電話卓において、２つのハンドセットにそれぞれ対応し、ハンドセットをオフフックすることによりオン動作する左右２つのフックスイッチと、フックスイッチのオン動作に連動して、左右のハンドセットにそれぞれ対応する左右のファンクションキー部及び電話機部の機能有効範囲を切換制御する制御部とを設け、２つのハンドセットに対して共通のスピーカを設け、ファンクションキー部のスピーカキーを押下してスピーカを使用している時に、ハンドセットをオフフックすることによりフックスイッチのオン動作に連動して制御部がスピーカからハンドセットに切り換えることにより、ハンドセットをオフフックするだけで左右の切り換えを実現しただけでなく、スピーカの使用時にハンドセットをオフフックするだけでスピーカからハンドセットに自動的に切り換えることを実現した。
【実施例】
【００１０】
図１は本発明の実施例を示す図である。
この実施例は、警察、消防等の指令電話システムに使用される指令用の電話卓を示すものであり、指令員の操作により、各種回線に対する発信・通話、各種回線よりの着信に対する応答・通話を行うものである。
電話卓１１には、左右２つのハンドセット１２Ｌ，１２Ｒが設けられており、各種の回線として１回線の局線、２回線のデジタル回線、２回線のテレホンスピーカ回線が接続されている。
【００１１】
ハンドセット１２Ｌ，１２Ｒは従来と同じハンドセットである。
タッチパネル付モニター１３は、従来と同様に、１個装備され、左右のハンドセット１２Ｌ，１２Ｒに共通で使用され、デジタル回線等に接続された指令をかける相手先の名称が枠付で表示される。この枠をタッチすることにより発信操作が可能になるように構成されている。勿論他の画面を表示することもできる。
ダイヤルキー部１４は、従来と同様に、左右共通に使用されるいわゆるテンキーを備えている。
【００１２】
左右の電話機部１６Ｌ，１６Ｒはそれぞれ左右のハンドセット１２Ｌ，１２Ｒに対応しており、それぞれデジタル多機能電話機の機能を有している。
左右のファンクションキー部１５Ｌ，１５Ｒはそれぞれ左右の電話機部１６Ｌ，１６Ｒに対応しており、それぞれデジタル多機能電話機のファンクションキーに相当する複数のファンクションキーを実装している。
なお、ファンクションキー部１５Ｌ，１５Ｒは従来のファンクションキー部の機能を継続して有している。
左右のハンドセット１２Ｌ，１２Ｒから切り換えて使用される左右のヘッドセット１７Ｌ，１７Ｒは従来と同じものである。
【００１３】
左右のフックスイッチ１８Ｌ，１８Ｒはそれぞれ左右のハンドセット１２Ｌ，１２Ｒに対応しており、それぞれ左右の受け皿１９Ｌ，１９Ｒに装備されている。受け皿１９Ｌ，１９Ｒは電話卓１１と独立に設置しても、また電話卓１１上に形成しても良い。
制御部２０は左右のフックスイッチ１８Ｌ，１８Ｒの動作を監視し、オン動作を検知して左右のファンクションキー部１５Ｌ，１５Ｒ及び電話機部１６Ｌ，１６Ｒを制御してハンドセット１２Ｌ，１２Ｒの切り換えを行い、対応する左側又は右側の機能有効範囲を切り換える制御を行う。
ダイヤルモニター２１は、１個装備され、左右のハンドセット１２Ｌ，１２Ｒに共通に使用され、ダイヤルキー部１４の数字キーを押下した時に、そのダイヤル数字を表示するものである。このダイヤルキー部１４、ダイヤルモニター２１も制御部２０に制御される。
【００１４】
電話卓１１には、そのほかに左右共通で使用されるスピーカ、直通回線の発信、復旧用として使用する直通電話ボタン、電話機部１６Ｌ，１６Ｒの使用状態（緑は正常、赤はアラーム、滅火は電源断）を表わす電源ＬＥＤ等が装備されている。
【００１５】
図２は電話卓の盤面を示す平面図である。
ダイヤルキー部１４を中央にして左右に左側のファンクションキー部１５Ｌ、右側のファンクションキー部１５Ｒを配置し、ダイヤルキー部１４の上部にダイヤルモニター２１を配置している。
右側のファンクションキー部１５Ｒの横には、左右共通に使用されるスピーカ２２が１個装備され、それぞれのファンクションキー部１５Ｌ，１５Ｒのそれぞれの左右のスピーカキー１５２Ｌ，１５２Ｒを押下することにより、ハンドセット１２Ｌ，１２Ｒからスピーカ２２に切り換えて、左又は右のハンドセット１２Ｌ，１２Ｒの音声をスピーカ２２から聞こえるようにする。
また、スピーカキー１５２Ｌ，１５２Ｒを再び押下することでスピーカ２２からの音声をハンドセット１２Ｌ，１２Ｒからの音声に戻すことができる。
【００１６】
上記したスピーカキー１５２Ｌ，１５２Ｒによる切り換えは従来と同じであるが、本発明の実施例では、スピーカ２２の左側機能使用時に、左側ハンドセット１２Ｌをオフフックした場合には、フックスイッチ１８Ｌのオン動作に連動してスピーカ２２から左側ハンドセット１２Ｌに切り換わり、左側ハンドセット１２Ｌから音声が聞こえるようになり、スピーカ２２からは音声は聞こえなくなる。
【００１７】
左側ファンクションキー部１５Ｌには、左側のファンクションキーを有効にするための専用ファンクションキーである左キー１５１Ｌ、上記したスピーカキー１５２Ｌ、通話を復旧させる復旧キー１５３Ｌ等の１５個のファンクションキーが実装されている。
また、右側ファンクションキー部１５Ｒには、右側のファンクションキーを有効にするための専用ファンクションキーである右キー１５１Ｒ、スピーカキー１５２Ｒ、復旧キー１５３Ｒ等が左側ファンクションキー部１５Ｌと同様に実装されている。
【００１８】
図３は本発明の実施例における切換操作制御部分のブロック図で、電話機部と制御部の要部を示している。
電話機部１６の上側半分が左側の電話機部１６Ｌに相当し、下側半分が右側の電話機部１６Ｒに相当する。
電話機部１６の図の中に、ハンドセット１２Ｌ，１２Ｒ及びスピーカ２２が便宜上記載されているが、これらは図１，２で説明したものである。
また、スピーカ２２は２つ記載されているが、説明をわかり易くするために、便宜上２つにしたのであって、図２で説明したように左右共通に１つ装備されている。従って、スピーカ２２を１つにし、スピーカスイッチ部１６３Ｌ，１６３Ｒから共通に接続したものと同じと理解されるものである。
【００１９】
電話機部１６は、各種回線の送受、スピーカスイッチ部１６３Ｌ，１６３Ｒ、ハンドセットスイッチ部１６４Ｌ，１６４Ｒ等を制御するＣＰＵ１６１と、左右のコーデック（ＣＤＣ）１６２Ｌ，１６２Ｒと、スピーカ２２の切り換えをする左右のスピーカスイッチ部１６３Ｌ，１６３Ｒと、ハンドセット１２Ｌ，１２Ｒの切り換えをする左右のハンドセットスイッチ部１６４Ｌ，１６４Ｒとを備えている。
制御部２０は、ＣＰＵ２０１と、図２に示した専用ファンクションキーである左右キー１５１Ｌ，１５１Ｒの動作信号を出力する左右キー動作部２０２と、スピーカキー１５２Ｌ，１５２Ｒを監視するスピーカキー監視回路２０３と、図１に示したフックスイッチ１８Ｌ，１８Ｒを監視するフックスイッチ監視回路２０４と、図２に示した復旧キー１５３Ｌ，１５３Ｒを監視する復旧キー監視回路２０５とを備えている。
【００２０】
ＣＰＵ２０１は左右キー動作部２０２、スピーカーキー監視回路２０３、フックスイッチ監視回路２０４、復旧キー監視回路２０５等を制御する。
左右キー動作部２０２は、左右キー１５１Ｌ，１５１Ｒの押下による動作信号と同じ動作信号を電話機部１６のＣＰＵ１６１に送出する機能を有する。
スピーカキー監視回路２０３は、スピーカキー１５２Ｌ，１５２Ｒの操作を監視し、押下された時はＣＰＵ２０１に信号を送ると共にスピーカスイッチ部１６３Ｌ，１６３Ｒに選択信号を送出する機能を有する。
フックスイッチ監視回路２０４は、オフフックによりフックスイッチ１８Ｌ，１８Ｒがオン動作した時にＣＰＵ２０１に信号を送ると共にハンドセットスイッチ部１６４Ｌ，１６４Ｒに選択信号を送出する機能を有する。
また、フックスイッチ監視回路２０４は、スピーカ２２の左（右）側機能範囲を使用中に左（右）側ハンドセット１２Ｌ（Ｒ）をオフフックした時はＣＰＵ２０１に信号を送ると共にスピーカスイッチ部１６３Ｌ（Ｒ）にリセット信号を送出する機能を有する。
【００２１】
次に本発明の実施例の動作について説明するが、まず、基本動作として、左（右）側のハンドセット１２Ｌ（１２Ｒ）をフックスイッチ１８Ｌ（１８Ｒ）から上げてオフフックをすることにより発信状態、フックスイッチ１８Ｌ（１８Ｒ）に置いてオンフックすることにより復旧状態とする。ただし、指令電話システムの場合には、通話回路はオンフックするだけでは切断されず、通話は維持されるので、通話に入っていない発信状態を復旧させることを復旧状態と読み替える。
【００２２】
次に、例えば左側ハンドセット１２Ｌをオフフックして使用している時に、右側ハンドセット１２Ｒをオフフックすると、左側ハンドセット１２Ｌから右側ハンドセット１２Ｒに切り換わり、右側ファンクションキー部１５Ｒ、右側電話機部１６Ｒの機能範囲が有効となり、それに連動して共通のタッチパネル付モニター１３、ダイヤルキー部１４、ダイヤルモニター２１が右側機能有効範囲となり、右側ハンドセット１２Ｒの発信・通話、着信・通話が可能となる。
【００２３】
また、例えば、左側ハンドセット１２Ｌの使用時に、スピーカ２２に切り換えるには、従来と同様にスピーカキー１５２Ｌを押下するが、左側スピーカ機能使用時に左側ハンドセット１２Ｌに切り換えるには、左側ハンドセット１２Ｌをオフフックするだけで切り換えることができる。
【００２４】
図４は本発明の実施例の切換操作の説明その１を示す図で、図５はその切換操作制御の説明その１を示す図である。
図４は、いずれのハンドセット１２Ｌ，１２Ｒもスピーカ２２も使用されていない初期状態において、左側ハンドセット１２Ｌをフックスイッチ１８Ｌから上げてオフフックした場合、フックスイッチ１８Ｌのオン動作に連動して左側ファンクションキー部１５Ｌ及び左側電話機部１６Ｌ（図１参照）の機能範囲が有効となり、更にファンクションキー部１５Ｌ及び電話機部１６Ｌの動作に連動してパネル付モニター１３、ダイヤルキー部１４、ダイヤルモニター２１が左側機能有効範囲となる。この左側機能有効範囲はグレイで表示しているが、これにより左側ハンドセット１２Ｌで、発信・通話、着信応答・通話が可能となる。
なお、ファンクションキー部等に連動して共通のパネル付モニター、ダイヤルキー部の機能有効範囲が切り換えられるのは従来と同じである。
【００２５】
図５で切換操作制御を説明すると、初期状態において、フックスイッチ監視回路２０４が左右のフックスイッチ１８Ｌ，１８Ｒを監視している。左側ハンドセット１２Ｌをオフフックした場合、左側フックスイッチ１８Ｌがオン動作する。フックスイッチ監視回路２０４はこの左オン信号Ｓ１Ｌを検知してＣＰＵ２０１及びハンドセットスイッチ部１６４Ｌに信号を送出する。
ＣＰＵ２０１は、受信した信号に基いて、左右キー動作部２０２に信号を送って動作させ、左キー１５１Ｌの押下による左キー押下信号と同じ左キー押下信号Ｓ２Ｌを電話機部１６のＣＰＵ１６１に送出し、図１の左側電話機部１６Ｌを有効にし、更に左側ファンクションキー部１５Ｌ（図１参照）を有効にし、タッチパネル付モニター１３、ダイヤルキー部１４及びダイヤルモニター２１を左側機能有効範囲とする。
ＣＰＵ１６１はこの信号Ｓ２Ｌに基いて左側ハンドセットスイッチ部１６４Ｌを制御してハンドセット１２Ｌを接続する。
このようにして、図４にグレイで示した部分が左側機能有効範囲となり、左側ハンドセット１２Ｌにより発信・通話、着信応答・通話が可能となる。
なおＣＰＵ１６１から出力される信号ＬＳは、通話時に有効となり、通話状態であることを知らせる信号である。
【００２６】
図６は操作の説明その２を示す図で、図７はその操作制御部分の説明その２を示す図である。
図６は、図４の左側ハンドセット１２Ｌをオフフックした場合に代えて、右側ハンドセット１２Ｒをオフフックした場合に右側機能範囲を有効にして右側ハンドセット１２Ｒで発信・通話、着信応答・通話を可能にするものである。
図７は、図５の左側フックスイッチ１８Ｌがオン動作する場合に代えて、右側フックスイッチ１８Ｒがオン動作する場合の制御を説明したものである。
従って、図６及び図７については、図４及び図５の説明における左側を右側に置き換えることにより十分理解できるので、その詳細な説明は省略する。
【００２７】
図８は操作の説明その３を示す図で、図９はその操作制御の説明その３を示す図である。
図８（ａ）は、左側ハンドセット１２Ｌを上げてオフフックし、左側機能範囲を有効にして使用中の状態を示す図で、（ｂ）は左側機能使用時に、右側ハンドセット１２Ｒを上げてオフフックした場合には、機能有効範囲が切り換えられて右側機能範囲が有効になることを示す図である。
【００２８】
図９で切換操作制御を説明すると、初期状態において、フックスイッチ監視回路２０４が左右のフックスイッチ１８Ｌ，１８Ｒを監視し、左側ハンドセット１２Ｌをオフフックした場合、左側フックスイッチ１８Ｌがオン動作し、フックスイッチ監視回路２０４はこの左オン信号Ｓ１Ｌを検知してＣＰＵ２０１及びハンドセットスイッチ部１６４Ｌに信号を送出する。
ＣＰＵ２０１は、左右キー動作部２０２を動作させ、左キー押下信号Ｓ２Ｌを電話機部１６のＣＰＵ１６１に送出し、左側機能範囲を有効にする。以上の制御は図４の場合と同じである。
【００２９】
左側機能有効範囲使用時でも、フックスイッチ監視回路２０４は左右のフックスイッチ１８Ｌ、１８Ｒを監視している。ここで、右側ハンドセット１２Ｒをオフフックした場合、右側フックスイッチ１８Ｒがオン動作し、フックスイッチ監視回路２０４はこの右オン信号Ｓ１Ｒを検知してＣＰＵ２０１及びハンドセットスイッチ部１６４Ｒに信号を送出する。
ＣＰＵ２０１は、左右キー動作部２０２を動作させ、右キー押下信号Ｓ２Ｒを電話機部１６のＣＰＵ１６１に送出し、右側機能範囲を有効にする。
このようにして、左側ハンドセット１２Ｌ使用時においても、右側ハンドセット１２Ｒをオフフックすることにより、フックスイッチ１２Ｒをオン動作させ、それに連動して自動的に左側機能有効範囲を右側機能有効範囲に切り換えて、右側ハンドセット１２Ｒで発信・通話、着信応答・通話を可能にした。
【００３０】
図１０は操作の説明その４を示す図で、図１１はその操作制御の説明その４を示す図である。
図１０（ａ）は、右側ハンドセット１２Ｒを上げて右側機能範囲を有効にしている状態を示し、（ｂ）は右側機能使用時に、左側ハンドセット１２Ｌをオフフックして左側機能範囲を有効にした状態を示している。
なお、図１０は図８における左右の表示を逆にした場合に相当する。
図１１はその切換操作制御を説明する図で、図９における説明中、左右を逆にした場合に相当するので、詳細な説明は省略する。
【００３１】
図１２−１及び１２−２は操作の説明５を示す図で、図１３はその操作制御の説明その５を示す図である。
図１２−１（ａ）は、左側機能範囲を有効にして左側でスピーカ２２を使用している状態を示している。左側機能でスピーカ２２を使用する場合は、左側ハンドセット１２Ｌの使用中に、左側ファンクションキー部１５Ｌのスピーカキー１５２Ｌ（図２参照）を押下することにより左側ハンドセット１２Ｌからスピーカ２２に切り換えられ、音声はスピーカ２２からのみ聞こえるようになる。
【００３２】
（ｂ）は、（ａ）の状態から左側ハンドセット１２Ｌを上げてオフフックした場合には、スピーカ２２からハンドセット１２Ｌに切り換えられ、スピーカ２２からは音声は聞こえなくなり、ハンドセット１２Ｌから音声が聞こえるようになった状態を示している。
【００３３】
図１２−２（ｃ）は、もう一度、上記した左側スピーカキー１５２Ｌを押下すると、スピーカ２２から音声は聞こえ、ハンドセット１２Ｌから音声は聞こえなくなった状態を示している。
（ｄ）は、左側機能でスピーカ２２を使用している時に、更に右側ハンドセット１２Ｒをオフフックした場合には、右側機能有効範囲に切り換えられて右側ハンドセット１２Ｒから右側の音声が聞こえるようになり、左側の音声は相変らずスピーカ２２から聞こえている状態を示している。
【００３４】
スピーカ２２とハンドセット１２Ｒの両方から音声が出るのは、通話路と制御部の回路は異なっているので、切り換えられて左側機能範囲が有効でなくなっても、通話路は生きており、左側の音声はそのまま生かされるからである。
なお、指令電話システムにおいては、左側ハンドセット１２Ｌをオフフックしても、通話路は切断されず、通話が継続されるので、スピーカ２２から左側の音声が聞こえることに変わりはない。通話を切って復旧させるには、図２の左右の復旧キー１５３Ｌ，１５３Ｒを押下すれば良い。
【００３５】
図１３で、左側機能のスピーカ２２を使用している時においては、音声は矢印Ａのように送出され、スピーカ２２から聞こえている。
フックスイッチ監視回路２０４は左右のフックスイッチ１８Ｌ，１８Ｒを監視しており、左側ハンドセット１２Ｌを上げてオフフックした場合、左側フックスイッチ１８Ｌがオン動作するとフックスイッチ監視回路２０４は左オン信号Ｓ１Ｌを検出し、信号をＣＰＵ２０１に送出すると共に、左側スピーカスイッチ部１６３Ｌにリセット信号Ｓ３Ｌを送出する。リセット状態になるとスピーカ２２からは音声は聞こえない。
同時にフックスイッチ監視回路２０４はハンドセットスイッチ部１６４Ｌに選択信号Ｓ４Ｌを送出する。ハンドセットスイッチ部１６４によりハンドセット１２Ｌが選択され、ハンドセット１２Ｌから矢印Ｂのように音声が聞こえる。
【００３６】
ここで図２の左側ファンクションキー部１５Ｌのスピーカキー１５２Ｌを押下すると、スピーカキー監視回路２０３はこれを検出し、ＣＰＵ２０１に信号を送ると共にスピーカスイッチ部１６３Ｌに選択信号を送り、その選択により再び矢印Ａのようにスピーカ２２へ音声が切り換わる。
【００３７】
この状態で、フックスイッチ監視回路２０４はフックスイッチ１８Ｌ，１８Ｒの監視をしているが、ここで右側ハンドセット１２Ｒをオフフックした場合、右側フックスイッチ１８Ｒがオン動作する。
フックスイッチ監視回路２０４は右オン動作信号Ｓ１Ｒを検出し、ＣＰＵ２０１及び右側ハンドセットスイッチ部１６４Ｒに信号を送り、ＣＰＵ２０１は左右キー動作部２０２を動作させ、右キー押下信号Ｓ２Ｒを電話機部１６のＣＰＵ１６１に送出する。
これにより右側機能範囲が有効になり、ハンドセット１２Ｒが選択され、ハンドセット１２Ｒから発信・通話、着信応答・通話が可能となり、矢印Ｃのように右側の音声がハンドセット１２Ｒから聞こえる。
左側の音声はスピーカ２２から聞こえるのは上記した通りである。
【００３８】
図１４−１及び１４−２は操作の説明６を示す図で、図１５は操作制御の説明その６を示す図である。
図１４−１は図１２−１における左右を逆にした場合に相当し、（ａ）は右側機能範囲を有効にして右側でスピーカ２２を使用している状態を示している。
（ｂ）は、（ａ）の状態から右側ハンドセット１２Ｒを上げてオフフックした場合には、スピーカ２２からハンドセット１２Ｒに切り換えられ、スピーカ２２からは音声は聞こえなくなり、ハンドセット１２Ｒから音声が聞こえるようになった状態を示している。
【００３９】
１４−２（ｃ）は、もう一度、右側スピーカキー１５２Ｒを押下すると、スピーカ２２から音声は聞こえ、ハンドセット１２Ｒからは音声は聞こえなくなった状態を示している。
（ｄ）は、右側機能でスピーカ２２を使用している時に、更に左側ハンドセット１２Ｌをオフフックした場合には、左側機能有効範囲に切り換えられて左側ハンドセット１２Ｌから左側の音声が聞こえるようになり、右側の音声は相変らずスピーカ２２から聞こえている状態を示している。
【００４０】
図１５はその切換操作制御を説明する図で、基本的には図１３における説明中、左右を逆にした場合に相当している。
右側機能のスピーカ２２を使用している時においては、音声は矢印Ｄのように送出され、スピーカ２２から聞こえている。
フックスイッチ監視回路２０４は左右のフックスイッチ１８Ｌ，１８Ｒを監視しており、右側ハンドセット１２Ｒをフックオフした場合、右側のフックスイッチ１８Ｒがオン動作するとフックスイッチ監視回路２０４は右オン信号Ｓ１Ｒを検出し、信号をＣＰＵ２０１に送出すると共に右側スピーカスイッチ部１６４Ｒにリセット信号Ｓ３Ｌを送出する。リセット状態になるとスピーカ２２からは音声は聞こえない。
同時にフックスイッチ監視回路２０４はハンドセットスイッチ部１６４Ｒに選択信号Ｓ４Ｒを送出する。ハンドセットスイッチ部１６４Ｒによりハンドセット１２Ｒが選択され、ハンドセット１２Ｒから矢印Ｅのように音声が聞こえる。
【００４１】
ここで図２の右側ファンクションキー部１５Ｒのスピーカキー１５２Ｒを押下すると、再びスピーカ２２に切り換えられ、矢印Ｄへ音声が切り換わる。
【００４２】
この状態でフックスイッチ監視回路２０４はフックスイッチ１８Ｌ，１８Ｒの監視をしているが、ここで左側ハンドセット１２Ｌをオフフックした場合、左側フックスイッチ１８Ｌがオン動作する。
フックスイッチ監視回路２０４は左オン信号Ｓ１Ｌを検出し、ＣＰＵ２０１及び左側ハンドセットスイッチ部１６４Ｌに信号を送り、ＣＰＵ２０１は左右キー動作部２０２を動作させ、左キー押下信号Ｓ２Ｌを電話機部１６のＣＰＵ１６１に送出する。
これにより左側機能範囲が有効になり、ハンドセット１２Ｌが選択され、ハンドセット１２Ｌから発信・通話、着信応答・通話が可能となり、矢印Ｆのように左側の音声がハンドセット１２Ｌから聞こえる。
【００４３】
上記したように、本発明の実施例によれば、左右のハンドセットに対応する左右のフックスイッチと、フックスイッチのオン動作に連動して、ファンクションキー及び電話機部の機能有効範囲を切換制御する制御部とを設けたので、ハンドセットをオフフックするだけで、電話卓の左右の機能有効範囲を自動的に切り換えることができる。
また、スピーカの使用時に、左又は右のハンドセットをオフフックするだけで、スピーカからオフフックしたハンドセットに自動的に切り換えることができる。
【００４４】
また、従来技術では、発信番号を視的に確認できないため誤ダイヤルすることがあったが、この実施例によればダイヤルキー部の発信番号を表示するダイヤルモニターを設けることにより誤ダイヤルを防ぐことができる。
更に、指令用の電話卓では、ファンクションキーを押さない限り、ハンドセットをフックスイッチ上に置くオンフックだけでは通話回路は切れない方式を採用しているので、フックスイッチを備えた受け皿にハンドセットを置いても通話状態のままとなり、送受話が受け皿に反射して音声の回り込みによるハウリングが発生する。この実施例によれば、図１２−２（ｃ）、１４−２（ｃ）のように、ハンドセットで通話中にファンクションキー部のスピーカキーを押下してハンドセットからスピーカに切り換え、ハンドセットから通話の音声が出ないようにしてから、フックスイッチを備えた受け皿にハンドセットを置く操作方法を採用することにより、ハウリングを防止することができる。
【産業上の利用可能性】
【００４５】
上記した実施例では、左右２つのハンドセットを収容した電話卓について説明したが、３つ以上のハンドセットを収容し、各ハンドセットにそれぞれ対応する３つ以上のファンクションキー部及び電話機部を備え、スピーカスイッチ部及びハンドセットスイッチ部を構成するスイッチを２者択一から３つ以上の中から１つを選択する複数者択一のスイッチに変更することにより、複数のハンドセットを収容する電話卓に本発明を適用することもできる。
【図面の簡単な説明】
【００４６】
【図１】本発明の実施例を示すブロック図である。
【図２】電話卓の盤面を示す図である。
【図３】実施例の切換操作制御のブロック図である
【図４】実施例の操作の説明その１を示す図である。
【図５】実施例の切換操作制御の説明その１を示す図である。
【図６】操作の説明その２を示す図である。
【図７】切換操作制御の説明その２を示す図である。
【図８】操作の説明その３を示す図である。
【図９】切換操作制御の説明その３を示す図である。
【図１０】操作の説明その４を示す図である。
【図１１】切換操作制御の説明その４を示す図である。
【図１２−１】操作の説明その５を示す図である。
【図１２−２】操作の説明その５を示す図である。
【図１３】切換操作制御の説明その５を示す図である。
【図１４−１】操作の説明その６を示す図である。
【図１４−２】操作の説明その６を示す図である。
【図１５】切換操作制御の説明その６を示す図である。
【図１６】従来の電話卓を示すブロック図である。
【符号の説明】
【００４７】
１１            電話卓
１２            ハンドセット
１３            タッチパネル付モニター
１４            ダイヤルキー部
１５            ファンクションキー部
１６            電話機部
１７            ヘッドセット
１８            フックスイッチ
１９            受け皿
２０            制御部
２１            ダイヤルモニター
２２            スピーカ
１５１          専用ファンクションキー（左右キー）
１５２          スピーカキー
１５３          復旧キー
１６１          ＣＰＵ
１６２          コーデック
１６３          スピーカスイッチ部
１６４          ハンドセットスイッチ部
２０１          ＣＰＵ
２０２          左右キー動作部
２０３          スピーカ監視回路
２０４          フックスイッチ監視回路
２０５          復旧キー監視回路
【図１】
0004432878.tif 000002
【図２】
0004432878.tif 000003
【図３】
0004432878.tif 000004
【図４】
0004432878.tif 000005
【図５】
0004432878.tif 000006
【図６】
0004432878.tif 000007
【図７】
0004432878.tif 000008
【図８】
0004432878.tif 000009
【図９】
0004432878.tif 000010
【図１０】
0004432878.tif 000011
【図１１】
0004432878.tif 000012
【図１２−１】
0004432878.tif 000013
【図１２−２】
0004432878.tif 000014
【図１３】
0004432878.tif 000015
【図１４−１】
0004432878.tif 000016
【図１４−２】
0004432878.tif 000017
【図１５】
0004432878.tif 000018
【図１６】
0004432878.tif 000019